【事件の表示】
　特願２０１８−５３４５３４「通信方法およびデバイス」拒絶査定不服審判事件〔平成２９年　７月　６日国際公開、ＷＯ２０１７／１１３２６４、平成３１年　１月１０日国内公表、特表２０１９−５００８１０、請求項の数（１３）〕について、次のとおり審決する。
【結　論】
　原査定を取り消す。
　本願の発明は、特許すべきものとする。
【理　由】
第１　手続の経緯
　本願は、２０１５年（平成２７年）１２月３１日を国際出願日とする出願であって、その手続の経緯は以下のとおりである。
平成３０年　８月　８日　　　手続補正書の提出
平成３１年　４月１１日付け　拒絶理由通知書
令和　元年　７月１０日　　　手続補正書、意見書の提出
令和　元年１１月２８日付け　拒絶査定
令和　２年　４月　２日　　　拒絶査定不服審判の請求、
　　　　　　　　　　　　　　手続補正書の提出
令和　２年　８月２１日　　　上申書の提出
令和　２年１１月１８日付け　拒絶理由通知書（当審）
令和　３年　２月２２日　　　手続補正書、意見書の提出
第２　原査定の概要
　原査定（令和元年１１月２８日付け拒絶査定）の概要は次のとおりである。
１．（新規性）この出願の下記の請求項に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
２．（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
●理由１（特許法第２９条第１項第３号）について
・請求項　１、７、１７ないし２０
・引用文献等　１
●理由２（特許法第２９条第２項）について
・請求項　１ないし２０
・引用文献等　１ないし４
＜引用文献等一覧＞
１.特表２０１３−５２９４０９号公報
２.特表２０１３−５１３３０８号公報
３.特開２００２−３３５２５５号公報
４.米国特許出願公開第２００７／０１８３３７４号明細書
第３　当審拒絶理由の概要
　当審拒絶理由の概要は次のとおりである。
１．（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
２．（明確性）この出願は、特許請求の範囲の記載が下記の点で、特許法第３６条第６項第２号に規定する要件を満たしていない。
　　　　　記　　　（引用例等については引用例等一覧参照）
●理由１（進歩性）について
・請求項　１ないし６、１７、１９、２０
・引用例等　１又は１ないし４
●理由２（明確性）について
（１）請求項　５、６
　請求項５に「前記プロセッサはさらに、予め設定された条件が満たされる場合に、グループを解除するよう決定するよう構成されている」との記載があるが、請求項５及び請求項５が引用する請求項１ないし４には、当該記載以外にグループについて記載がなく、何のグループであって、いつどのように構築されたグループが解除されるのか不明確である。
　請求項５を引用する請求項６についても同様である。
　よって、請求項５、６に係る発明は明確でない。
（２）請求項　１９、２０
　請求項１９に係る発明は、発明特定事項が、各段階の動作の主体がウェアラブルデバイスである第１のユーザ機器である方法と、各段階の動作の主体が第２のユーザ機器である方法という選択肢で表現されており、当該選択肢同士が類似の性質又は機能を有しないため、発明が不明確である。
　請求項２０についても同様である。
　よって、請求項１９、２０に係る発明は明確でない。
＜引用例等一覧＞
１.特表２０１３−５２９４０９号公報（拒絶査定時の引用例１）
２.特表２０１３−５１３３０８号公報（拒絶査定時の引用例２）
３.特開２００２−３３５２５５号公報（拒絶査定時の引用例３）
４.米国特許出願公開第２００７／０１８３３７４号明細書（拒絶査定時の引用例４）
第４　本願発明について
　本願の請求項１ないし１３に係る発明（以下、それぞれ「本願発明１」ないし「本願発明１３」という。）は、令和３年２月２２日の手続補正で補正された特許請求の範囲の請求項１ないし１３に記載された事項により特定される以下のとおりの発明である。
「　　【請求項１】
　ユーザ機器であって、前記ユーザ機器は第２のユーザ機器であり、
　ネットワークデバイスとの通信に必要な第１の結果を取得するべく第１のタスクを実行するよう構成されているプロセッサであって、前記第１の結果は、ページング情報、キャンプオンする予定のセルもしくはサービングセルに関する情報、サービングセル測定結果、隣接セル測定結果、キャンプオンする予定のセルもしくはサービングセルのシステム情報もしくは更新済みシステム情報、セル選択もしくはセル再選択の後に取得されるキャンプオンする予定のセルもしくはサービングセルに関する情報、サービングセルのアップリンク送信電力情報もしくはアップリンク送信電力調整情報、または、サービングセルのアップリンクタイミング事前情報もしくはアップリンク事前調整情報のうち少なくとも１つの情報を含む、プロセッサと、
　ウェアラブルデバイスである第１のユーザ機器が前記第１の結果を利用して前記ネットワークデバイスと通信するように、前記第１の結果を前記第１のユーザ機器に送信するよう構成されている送信機と
　を備え、
　前記送信機はさらに、前記第１のユーザ機器が前記第２のユーザ機器を利用して前記第１のタスクを実行する前に、ユーザによる前記第１のタスクの実行を求める要求が前記第２のユーザ機器でトリガされることで第１の指示情報を送信するように構成され、前記第１の指示情報は、第２のタスクを実行するよう命令するために利用される、
　ユーザ機器。
　　【請求項２】
　前記プロセッサはさらに、
　セル測定を実行して、サービングセル測定結果および／もしくは隣接セル測定結果を取得すること、
　セル選択もしくはセル再選択を実行し、選択もしくは再選択されたセルに関する情報を決定すること、
　キャンプオンする予定のセルもしくはサービングセルのシステム情報をリスニングして、前記キャンプオンする予定のセルもしくは前記サービングセルの前記システム情報が変化する場合に前記キャンプオンする予定のセルもしくは前記サービングセルの変化後のシステム情報を決定すること、または、
　ページングメッセージをリスニングして、ページングオブジェクトが前記第１のユーザ機器であるページングメッセージがリスニングによって取得されると決定すること、
　のうち少なくとも１つを実行するよう構成されており、
　前記送信機はさらに、第４の要求メッセージを前記ネットワークデバイスに送信するよう構成されており、前記第４の要求メッセージは、前記ネットワークデバイスが提供するサービスについて必要なパラメータ情報を取得するために利用され、前記ユーザ機器はさらに、
　前記ネットワークデバイスが送信する第１の応答メッセージを受信するよう構成されている受信機であって、前記第１の応答メッセージは、前記パラメータ情報を含み、前記パラメータ情報は、アップリンク送信電力情報もしくはアップリンク送信電力調整情報、アップリンクタイミング事前情報もしくはアップリンク事前調整情報、または、設定パラメータのうち少なくとも１つを含み、前記設定パラメータは、物理層設定パラメータ、媒体アクセス制御（ＭＡＣ）層設定パラメータ、無線リンク制御（ＲＬＣ）層設定パラメータ、パケットデータコンバーゼンスプロトコル（ＰＤＣＰ）層設定パラメータ、または、無線リソース制御（ＲＲＣ）設定パラメータのうち少なくとも１つのパラメータを含む、受信機を備える
　請求項１に記載のユーザ機器。
　　【請求項３】
　前記第１のユーザ機器が送信する第１の要求メッセージを受信するよう構成されている受信機であって、前記第１の要求メッセージは前記第１の結果を要求するために利用される、受信機をさらに備える
　請求項２に記載のユーザ機器。
　　【請求項４】
　前記プロセッサはさらに、前記第１のユーザ機器と前記第２のユーザ機器との間にグループを構築するよう決定するよう構成されており、前記グループは、前記第１のユーザ機器および前記第２のユーザ機器が前記ネットワークデバイスとの通信のために利用される少なくとも１つの情報を共有する旨を示し、
　前記送信機はさらに、前記グループが前記第１のユーザ機器と前記第２のユーザ機器との間に構築されている旨を示すべく、前記第１のユーザ機器にグループ構築確認メッセージを送信するよう構成されている
　請求項３に記載のユーザ機器。
　　【請求項５】
　前記受信機はさらに、前記ネットワークデバイスが送信するページングメッセージを受信するよう構成されており、
　前記ページングメッセージは
　前記グループのグループ情報、
　前記第１のユーザ機器の識別子、
　前記第１のユーザ機器の前記識別子およびグループ処理を実行するか否かを示す指示、
　前記第１のユーザ機器の前記識別子および前記ページングメッセージを前記第１のユーザ機器に転送するか否かを示す指示、または、
　前記第１のユーザ機器の前記識別子および前記第２のユーザ機器の識別子
　のうち１つを含む
　請求項４に記載のユーザ機器。
　　【請求項６】
　前記送信機はさらに、前記ページングメッセージを前記第１のユーザ機器に転送するか、または、前記ページングメッセージのコンテンツの一部または全てを前記第１のユーザ機器に送信するか、または、サービス通知メッセージを前記第１のユーザ機器に送信するよう構成されており、前記サービス通知メッセージは、前記ネットワークデバイスが送信する受信した前記ページングメッセージにしたがって前記第２のユーザ機器が決定する
　請求項２から５のいずれか一項に記載のユーザ機器。
　　【請求項７】
　前記プロセッサはさらに、予め設定された条件が満たされる場合に、前記グループを前記第２のユーザ機器によって解除するよう構成されている
　請求項４に記載のユーザ機器。
　　【請求項８】
　前記予め設定された条件が満たされることは、
　前記第１のユーザ機器と前記第２のユーザ機器との間の距離もしくは信号の品質がしきい値に到達すること、または、
　前記第２のユーザ機器が、前記第１のユーザ機器もしくは前記ネットワークデバイスが送信するグループ解除指示情報を受信すること、または、
　前記第２のユーザ機器が、人間−機械インターフェースを利用することで、または、アプリケーション層から、グループ解除指示情報を受信すること
　を含む
　請求項７に記載のユーザ機器。
　　【請求項９】
　前記送信機はさらに、グループ解除指示情報を前記ネットワークデバイスに送信するよう構成されており、前記グループ解除指示情報は、前記第１のユーザ機器と前記第２のユーザ機器との間の前記グループを解除するよう命令するために利用される
　請求項７または８に記載のユーザ機器。
　　【請求項１０】
　前記プロセッサはさらに、前記ネットワークデバイスへのランダムアクセスプロセスまたはロケーション更新プロセスを実行するよう構成されており、前記送信機はさらに、前記ランダムアクセスプロセスまたは前記ロケーション更新プロセスにおいて、前記グループ解除指示情報を前記ネットワークデバイスに、送信するよう構成されている
　請求項９に記載のユーザ機器。
　　【請求項１１】
　ウェアラブルデバイスである第１のユーザ機器のネットワークデバイスとの通信に必要な第１の結果を取得するべく第１のタスクを第２のユーザ機器が実行する段階であって、前記第１の結果は、ページング情報、キャンプオンする予定のセルもしくはサービングセルに関する情報、サービングセル測定結果、隣接セル測定結果、キャンプオンする予定のセルもしくはサービングセルのシステム情報もしくは更新済みシステム情報、セル選択もしくはセル再選択の後に取得されるキャンプオンする予定のセルもしくはサービングセルに関する情報、サービングセルのアップリンク送信電力情報もしくはアップリンク送信電力調整情報、または、サービングセルのアップリンクタイミング事前情報もしくはアップリンク事前調整情報のうち少なくとも１つの情報を含む、段階と、
　前記第１のユーザ機器が前記第１の結果を利用して前記ネットワークデバイスと通信するように、前記第２のユーザ機器が前記第１の結果を前記第１のユーザ機器に送信する段階と、
　前記第２のユーザ機器が前記第１のタスクを実行する前に、ユーザによる前記第１のタスクの実行を求める要求が前記第２のユーザ機器でトリガされることで前記第２のユーザ機器が第１の指示情報を送信する段階であって、前記第１の指示情報は、前記第１のユーザ機器が第２のタスクを実行するよう命令するために利用される、段階と
　を備える方法。
　　【請求項１２】
　請求項１１に記載の方法をコンピュータに実行させるプログラム。
　　【請求項１３】
　プログラムを格納しているコンピュータ可読記憶媒体であって、前記プログラムがプロセッサによって実行されると、請求項１１に記載の方法が実行される、コンピュータ可読記憶媒体。」
第５　引用例の記載事項及び引用発明
１．引用例１について
　原査定の拒絶理由及び当審拒絶理由で引用された特表２０１３−５２９４０９号公報（以下、「引用例１」という）には、以下の事項が記載されている。（下線は当審で付与した。）
（１）「【００１４】
　図１Ａに示すように、通信システム１００は、無線送受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、およびその他のネットワーク１１２を含み得るが、開示される実施形態は、任意の数のＷＴＲＵ、基地局、ネットワーク、および／またはネットワーク要素を考慮することが理解されるであろう。ＷＴＲＵ１０２ａ、１０２ｂ、１０２ｃ、１０２ｄのそれぞれは、無線環境内で動作および／または通信するように構成された任意の種類のデバイスである可能性がある。例として、
ＷＴＲＵ１０２ａ、１０２ｂ、１０２ｃ、１０２ｄは、
ユーザ機器（ＵＥ）、
を含み得る。
（２）「【００２５】
　図１Ｂは、例示的なＷＴＲＵ１０２のシステム図である。図１Ｂに示すように、
ＷＴＲＵ１０２は、プロセッサ１１８、トランシーバ１２０、
を含み得る。
【００２６】
　プロセッサ１１８は、汎用プロセッサ、専用プロセッサ、通常のプロセッサ、デジタル信号プロセッサ（ＤＳＰ）、複数のマイクロプロセッサ、ＤＳＰコアと関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意のその他の種類の集積回路（ＩＣ）、状態機械などである可能性がある。
プロセッサ１１８は、
ＷＴＲＵ１０２が無線環境で動作することを可能にする任意のその他の機能を実行することができる。
（３）「【０１２５】
　
マスタ機器（例えば、マスタＵＥ）
（４）「【０１５９】
　ＵＥは、マスタ機器にキャンプオンしたままであることができる。ネットワークは、そのネットワークがＵＥにページングする必要がある場合、マスタ機器にページングすることができる。
マスタ機器は、ページングをグループ内のＵＥに転送することができる。
【０１６０】
　
ＵＥは、
マスタ機器からのページングを受信するためにページング機会を監視する
ＵＥがマスタ機器に登録するとき、そのＵＥは、そのＵＥがページング機会を計算することができる
【０１６１】
　
マスタ機器がネットワークからページングを受信する
（５）「【０１６６】
　ページングメッセージのないページングの指示が、ＵＥに、そのＵＥがウェイクアップし、最良のセルへのセルの選択を実行すべきであることを指示する可能性がある。そのとき、
ＵＥは、ネットワークにＲＲＣコネクション要求を送信する可能性がある。
【０１６７】
　ページングメッセージまたは新しいメッセージが、以下、すなわち、ネットワークがＵＥに接続するように試みていること、１ビットの情報が与えられること、またはマスタ機器がＵＥがマクロセルもしくはマスタが接続されているセルに接続するのを支援するための情報を提供することのうちの１つまたは複数を示すためにＵＥに送信され得る。
【０１６８】
　
ページングを受信すると、
ＵＥは、
ＲＲＣコネクション要求を開始することができる。
（６）「【０１８８】
　図２は、ネットワークおよびグループ内の１つまたは複数ＵＥを制御し、および／またはそれらと通信するためにマスタ機器を例示的に使用するシステムを示す。図２は、さまざまな機器、例えば、ＵＥのグループ内のＵＥ２１０と、マスタ機器２２０と、ネットワーク２３０とにおいて、および／またはそれらの間で行われるアクションを示す。例えば、
図２は、ＵＥ２１０がマスタ機器２２０を発見すること、マスタ機器２２０に登録すること、およびマスタ機器２２０から登録の承認を受信することを示す。
【０１８９】
　図２は、マスタ機器２２０が、測定およびエリアの変化の検出を含むその他の機能を実行することができることを示す。マスタ機器２２０は、ネットワーク２３０を更新し、ネットワーク２３０からの承認を受信することができる。
【０１９０】
　図２は、
ネットワーク２３０が、マスタ機器２２０を介したページングを用いることによってＵＥ２１０（または複数のＵＥ）と通信することができる
（７）「【図２】
」
　引用例１の上記記載、及びこの分野における技術常識を考慮すると、次のことがいえる。
ア　上記（１）の「ＷＴＲＵ１０２ａ、１０２ｂ、１０２ｃ、１０２ｄは、・・・ユーザ機器（ＵＥ）、・・・を含み得る。」及び上記（２）の段落【００２５】の「ＷＴＲＵ１０２は、プロセッサ１１８、トランシーバ１２０、・・・を含み得る。」との記載によれば、ＷＴＲＵはユーザ機器（ＵＥ）であり、プロセッサとトランシーバとを含む。また、上記（２）の段落【００２６】の「プロセッサ１１８は、・・・ＷＴＲＵ１０２が無線環境で動作することを可能にする任意のその他の機能を実行することができる。」との記載も合わせると、ユーザ機器（ＵＥ）であるＷＴＲＵは、無線環境で動作することを可能にする機能を実行するプロセッサと、トランシーバとを含む。
　そして、上記（３）の「マスタ機器（例えば、マスタＵＥ）」との記載によれば、マスタ機器もＵＥ、すなわち、ユーザ機器であるといえる。さらに、マスタ機器もユーザ機器なのであるから、ユーザ機器（ＵＥ）であるＷＴＲＵと同様に、マスタ機器は、無線環境で動作することを可能にする機能を実行するプロセッサと、トランシーバとを含むことは明らかである。
　してみると、引用例１のユーザ機器であるマスタ機器は、無線環境で動作することを可能にする機能を実行するプロセッサと、トランシーバとを含むといえる。
イ　上記（６）の段落【０１９０】の「ネットワーク２３０が、マスタ機器２２０を介したページングを用いることによってＵＥ２１０（または複数のＵＥ）と通信することができる」との記載によれば、ページングは、ＵＥがネットワークと通信するために用いられるものである。また、上記（４）の段落【０１６１】の「マスタ機器がネットワークからページングを受信する」との記載と合わせれば、マスタ機器は、ＵＥがネットワークと通信するために用いられるページングをネットワークから受信する。
ウ　上記イで説示したとおり、ページングは、ＵＥがネットワークと通信するために用いられるものであり、上記（５）の【０１６６】の「ＵＥは、ネットワークにＲＲＣコネクション要求を送信する可能性がある。」及び段落【０１６８】の「ページングを受信すると、・・・ＵＥは、・・・ＲＲＣコネクション要求を開始することができる。」との記載を合わせると、ＵＥは、ＵＥがネットワークと通信するために用いられるページングを受信するとＵＥがＲＲＣコネクション要求を開始する。
　さらに、上記（４）の段落【０１５９】の「マスタ機器は、ページングをグループ内のＵＥに転送することができる。」の記載も合わせると、マスタ機器は、ＵＥがネットワークと通信するために用いられるページングを受信するとＵＥがＲＲＣコネクション要求を開始するように、ページングをＵＥに転送するといえる。
エ　上記（６）の段落【０１８８】の「図２は、ＵＥ２１０がマスタ機器２２０を発見すること、マスタ機器２２０に登録すること、およびマスタ機器２２０から登録の承認を受信することを示す。」との記載及び上記（７）の【図２】を参照すれば、マスタ機器は、ＵＥから登録要求を受信することでＵＥに登録の承認を送信する。また、上記（７）の【図２】を参照すれば、ＵＥからの登録要求の受信や、マスタ機器からＵＥへの登録の承認の送信は、マスタ機器がネットワークからのページングを受信する前に行われていることは明らかである。
　そうすると、引用例１のマスタ機器は、マスタ機器がネットワークからのページングを受信する前に、ＵＥから登録要求を受信することでＵＥに登録の承認を送信しているといえる。
　また、上記（４）の段落【０１６０】の「ＵＥは、・・・マスタ機器からのページングを受信するためにページング機会を監視する」及び同段落の「ＵＥがマスタ機器に登録するとき、そのＵＥは、そのＵＥがページング機会を計算することができる」との記載によれば、ＵＥは、監視するページング機会を計算するためにマスタ機器に登録する必要があるから、ＵＥは、マスタ機器に登録して、ページング機会を監視することは明らかである。
　以上を総合すると、引用例１には、次の発明（以下、「引用発明」という。）が記載されていると認められる。
「　ユーザ機器であるマスタ機器であって、
　マスタ機器は、無線環境で動作することを可能にする機能を実行するプロセッサと、トランシーバとを含み、
　マスタ機器は、ＵＥがネットワークと通信するために用いられるページングをネットワークから受信し、
　マスタ機器は、ＵＥがネットワークと通信するために用いられるページングを受信するとＵＥがＲＲＣコネクション要求を開始するように、ページングをＵＥに転送し、
　マスタ機器は、マスタ機器がネットワークからのページングを受信する前に、ＵＥから登録要求を受信することでＵＥに登録の承認を送信し、ＵＥは、マスタ機器に登録して、ページング機会を監視する、
　マスタ機器。」
２．引用例２について
　原査定の拒絶理由及び当審拒絶理由で引用された特表２０１３−５１３３０８号公報（以下、「引用例２」という）には、以下の事項が記載されている。（下線は当審で付与した。）
「【００５２】
　ブロック３１４では、機能に基づいてタスクが委任され、処理はブロック３１６に進みうる。例えば、
アクセス端末１０２は、
１または複数の特定のタスクをホスト端末１０４へ委任しうる。このようなタスクは、
ネットワーク探索および獲得、
でありうる。
　上記記載によれば、引用例２には、「アクセス端末は、１又は複数の特定のタスクをホスト端末へ委任するものであり、タスクにはネットワーク探索及び獲得がある」という技術的事項が記載されていると認められる。
３．引用例３について
　原査定の拒絶理由及び当審拒絶理由で引用された特開２００２−３３５２５５号公報（以下、「引用例３」という）には、以下の事項が記載されている。（下線は当審で付与した。）
「【００２８】図１の例では、
ラップトップ１０２がモニタリング端末としての役割を果たしている。ラップトップ１０２は、
取得したネットワーク情報を、
携帯電話１００やＰＤＡ１０１と共用する。ネットワーク情報には、
近隣のセルやアクセスポイントのモニタリング情報、
が含まれる。
　上記記載によれば、引用例３には、「モニタリング端末としての役割を果たすラップトップは、取得したネットワーク情報を、携帯電話やＰＤＡと共用するものであり、ネットワーク情報に近隣のセルやアクセスポイントのモニタリング情報が含まれる」という技術的事項が記載されていると認められる。
４．引用例４について
　原査定の拒絶理由及び当審拒絶理由で引用された米国特許出願公開第２００７／０１８３３７４号明細書（以下、「引用例４」という）には、以下の事項が記載されている。（下線は当審で付与した。）
「［0021］ As illustrated, user terminal 205 is initially located outside of the cell 220. Prior to entering the cell 220, the user terminal 205 has minimal knowledge, if any, about the base station 210, including various communication protocols required for communicating with the base station 210. These protocols may be 
location-dependent parameters such as
transmit power, timing advance for uplink transmissions,
[0022] Accordingly, when a user terminal 205 enters into the cell 220, the user terminal 205 has to acquire these parameters. As discussed above, 
the user terminal 205 may acquire these parameters from other user terminals, such as the user terminal denoted by reference numeral 200
（当審仮訳：
[0021]　図示のように、ユーザ端末205は、最初にセル220の外側に配置されている。セル220に入る前に、ユーザ端末205は、もしあれば、基地局210と通信するために必要とされる種々の通信プロトコルを含む基地局210についての最小限の知識を有する。これらのプロトコルは、変調レベル、符号化率、
送信電力、アップリンク送信のためのタイミング・アドバンス、
のような位置依存パラメータ
[0022]　したがって、ユーザ端末205は、セル220に入るとき、ユーザ端末205はこれらのパラメータを取得しなければならない。上述したように、
ユーザ端末205は、
参照番号200で示されるユーザ端末などの他のユーザ端末からこれらのパラメータを取得することができる。
　上記記載によれば、引用例４には、「ユーザ端末205は、ユーザ端末200から送信電力、タイミング・アドバンスのようなパラメータを取得する」という技術的事項が記載されていると認められる。
第６　対比・判断
１．本願発明１について
　本願発明１と引用発明とを対比する。
（１）引用発明の「ＵＥ」及び「マスタ機器」はいずれもユーザ機器であるから、それぞれ、第１のユーザ機器、第２のユーザ機器と呼ぶことができ、本願発明１の「ウェアラブルデバイスである第１のユーザ機器」と引用発明の「ＵＥ」とは、「第１のユーザ機器」である点で共通し、引用発明の「マスタ機器」は、本願発明１の「第２のユーザ機器」に相当する。
　また、引用発明では、ＵＥがネットワークと通信するのであるから、引用発明の「ネットワーク」がＵＥと通信するデバイスを有することは明らかであって、本願発明１の「ネットワークデバイス」に相当する。
（２）引用発明の「ページング」は、「ネットワークとＵＥとが通信するために用いられる」ものであるから、本願発明１と同様に「ネットワークデバイスとの通信に必要な」ものといえる。また、引用発明の「ページング」は、「ページングをネットワークから受信」するというページングを得るためのタスクを実行することにより得られる結果であるともいえるから、引用発明の「ページング」は、本願発明１の「第１の結果」に含まれ、引用発明の「ページングをネットワークから受信」することは、本願発明１の「第１の結果を取得するべく第１のタスクを実行する」ことに含まれる。そうすると、引用発明の「ネットワークとＵＥとが通信するために用いられるページングをネットワークから受信」することは、本願発明１の「ネットワークデバイスとの通信に必要な第１の結果を取得するべく第１のタスクを実行する」ことに含まれる。
　そして、引用発明のマスタ機器は、無線環境で動作することを可能にする機能を実行するプロセッサを含むことから、引用発明の「プロセッサ」は、「ネットワークとＵＥとが通信するために用いられるページングをネットワークから受信」するように構成されていることは明らかであって、本願発明１の「ネットワークデバイスとの通信に必要な第１の結果を取得するべく第１のタスクを実行するよう構成されているプロセッサ」に含まれる。
　また、引用発明の「ページング」は、本願発明１の「ページング情報」に相当するから、引用発明の「ページング」は、本願発明１の「前記第１の結果は、ページング情報、キャンプオンする予定のセルもしくはサービングセルに関する情報、サービングセル測定結果、隣接セル測定結果、キャンプオンする予定のセルもしくはサービングセルのシステム情報もしくは更新済みシステム情報、セル選択もしくはセル再選択の後に取得されるキャンプオンする予定のセルもしくはサービングセルに関する情報、サービングセルのアップリンク送信電力情報もしくはアップリンク送信電力調整情報、または、サービングセルのアップリンクタイミング事前情報もしくはアップリンク事前調整情報のうち少なくとも１つの情報を含む」に含まれる。
　してみれば、本願発明１と引用発明とは、ユーザ機器が「ネットワークデバイスとの通信に必要な第１の結果を取得するべく第１のタスクを実行するよう構成されているプロセッサであって、前記第１の結果は、ページング情報、キャンプオンする予定のセルもしくはサービングセルに関する情報、サービングセル測定結果、隣接セル測定結果、キャンプオンする予定のセルもしくはサービングセルのシステム情報もしくは更新済みシステム情報、セル選択もしくはセル再選択の後に取得されるキャンプオンする予定のセルもしくはサービングセルに関する情報、サービングセルのアップリンク送信電力情報もしくはアップリンク送信電力調整情報、または、サービングセルのアップリンクタイミング事前情報もしくはアップリンク事前調整情報のうち少なくとも１つの情報を含む、プロセッサ」を備える点で共通する。
（３）上記（２）で説示したように、引用発明の「ページング」は、本願発明１の「第１の結果」に含まれ、また、上記（１）で説示したように、本願発明１の「ウェアラブルデバイスである第１のユーザ機器」と引用発明の「ＵＥ」とは、「第１のユーザ機器」である点で共通する。そして、引用発明において、ＵＥが開始するＲＲＣコネクション要求は、ＵＥがネットワークと通信するために用いられるページングを受信することにより行われるから、ＵＥはページングを利用しているといえ、引用発明の「ＵＥがネットワークと通信するために用いられるページングを受信するとＵＥがＲＲＣコネクション要求を開始する」ことは、本願発明１と同様に「第１のユーザ機器が前記第１の結果を利用して」いるといえる。さらに、引用発明のＵＥは、ＲＲＣコネクション要求を開始して、ネットワークと通信することは明らかであるから、引用発明において、「ＵＥがネットワークと通信するために用いられるページングを受信するとＵＥがＲＲＣコネクション要求を開始する」ことは、本願発明１の「第１のユーザ機器が前記第１の結果を利用して前記ネットワークデバイスと通信する」ことに含まれる。
　また、引用発明の「ページングをＵＥに転送」することは、本願発明１の「前記第１の結果を前記第１のユーザ機器に送信する」ことに含まれる。そうすると、引用発明において、「ＵＥがネットワークと通信するために用いられるページングを受信するとＵＥがＲＲＣコネクション要求を開始するように、ページングをＵＥに転送」することは、本願発明１の「第１のユーザ機器が前記第１の結果を利用して前記ネットワークデバイスと通信するように、前記第１の結果を前記第１のユーザ機器に送信する」に含まれる。
　そして、引用発明の「トランシーバ」は、信号を送信することは明らかであり、本願発明と同様に「送信機」であるといえ、また、引用発明において、ＵＥへのページングの転送がマスタ機器に含まれるトランシーバにより行われること、すなわち、ページングをＵＥに転送するようにトランシーバが構成されていることは明らかであるから、引用発明の「トランシーバ」は、本願発明１の「送信機」と同様に「前記第１の結果を前記第１のユーザ機器に送信するように構成されている」といえる。
　してみれば、本願発明１で、ユーザ機器が「ウェアラブルデバイスである第１のユーザ機器が前記第１の結果を利用して前記ネットワークデバイスと通信するように、前記第１の結果を前記第１のユーザ機器に送信するよう構成されている送信機」を備えることと、引用発明において、マスタ機器が「トランシーバ」を含み、「マスタ機器は、ＵＥがネットワークと通信するために用いられるページングを受信するとＵＥがＲＲＣコネクション要求を開始するように、ページングをＵＥに転送」することとは、ユーザ機器が「第１のユーザ機器が前記第１の結果を利用して前記ネットワークデバイスと通信するように、前記第１の結果を前記第１のユーザ機器に送信するよう構成されている送信機」を備える点で共通する。
（４）引用発明において、ＵＥが行うページング機会の監視は、１つのタスクであるといえ、引用発明のマスタ機器が行う「ページングをネットワークから受信」するというタスクとも異なるから、引用発明のＵＥが行う「ページング機会を監視する」ことは、本願発明１の「第１の結果を取得するべく第１のタスクを実行する」ことと異なる本願発明１の「第２のタスクを実行する」ことに含まれる。また、引用発明のマスタ機器は、登録の承認を送信し、ＵＥは、マスタ機器に登録して、ページング機会を監視するのであるから、引用発明のマスタ機器から送信する「登録の承認」は、ＵＥにおいてページング機会の監視することを命令するために利用されるといえ、本願発明１と同様に「第２のタスクを実行するよう命令するために利用される」といえる。よって、引用発明のマスタ機器から送信する「登録の承認」は、「第２のタスクを実行するよう命令するために利用される」ことから、本願発明１の「第１の指示情報」に含まれる。
　さらに、上記（２）で説示したように引用発明の「ページングをネットワークから受信」することは、本願発明１の「第１の結果を取得するべく第１のタスクを実行する」ことに含まれる。また、引用発明では、マスタ機器がネットワークから受信したページングをＵＥに転送するのであるから、ＵＥは、マスタ機器を利用してネットワークからページングを受信するといえる。そうすると、引用発明の「マスタ機器がネットワークからのページングを受信する前」とは、本願発明１と同様に「前記第１のユーザ機器が前記第２のユーザ機器を利用して前記第１のタスクを実行する前」である。
　そして、上記（３）で説示したように、引用発明の「トランシーバ」は、本願発明１と同様に「送信機」であるといえ、また、引用発明において、登録の承認の送信が、マスタ機器に含まれるトランシーバにより行われること、すなわち、トランシーバは登録の承認を送信するように構成されていることは明らかであるから、引用発明の「トランシーバ」は、本願発明１の「送信機」と同様に「第１の指示情報を送信するように構成され」ているといえる。
　してみれば、本願発明１の「前記送信機はさらに、前記第１のユーザ機器が前記第２のユーザ機器を利用して前記第１のタスクを実行する前に、ユーザによる前記第１のタスクの実行を求める要求が前記第２のユーザ機器でトリガされることで第１の指示情報を送信するように構成され、前記第１の指示情報は、第２のタスクを実行するよう命令するために利用される」ことと、引用発明のマスタ機器が「トランシーバ」を含み、「マスタ機器は、マスタ機器がネットワークからのページングを受信する前に、ＵＥから登録要求を受信することでＵＥに登録の承認を送信し、ＵＥは、マスタ機器に登録して、ページング機会を監視する」こととは、「前記送信機はさらに、前記第１のユーザ機器が前記第２のユーザ機器を利用して前記第１のタスクを実行する前に、第１の指示情報を送信するように構成され、前記第１の指示情報は、第２のタスクを実行するよう命令するために利用される」点で共通する。
　以上のことから、本願発明１と引用発明との一致点及び相違点は、次のとおりである。
（一致点）
「　ユーザ機器であって、前記ユーザ機器は第２のユーザ機器であり、
　ネットワークデバイスとの通信に必要な第１の結果を取得するべく第１のタスクを実行するよう構成されているプロセッサであって、前記第１の結果は、ページング情報、キャンプオンする予定のセルもしくはサービングセルに関する情報、サービングセル測定結果、隣接セル測定結果、キャンプオンする予定のセルもしくはサービングセルのシステム情報もしくは更新済みシステム情報、セル選択もしくはセル再選択の後に取得されるキャンプオンする予定のセルもしくはサービングセルに関する情報、サービングセルのアップリンク送信電力情報もしくはアップリンク送信電力調整情報、または、サービングセルのアップリンクタイミング事前情報もしくはアップリンク事前調整情報のうち少なくとも１つの情報を含む、プロセッサと、
　第１のユーザ機器が前記第１の結果を利用して前記ネットワークデバイスと通信するように、前記第１の結果を前記第１のユーザ機器に送信するよう構成されている送信機と
　を備え、
　前記送信機はさらに、前記第１のユーザ機器が前記第２のユーザ機器を利用して前記第１のタスクを実行する前に、第１の指示情報を送信するように構成され、前記第１の指示情報は、第２のタスクを実行するよう命令するために利用される、
　ユーザ機器。」
（相違点１）
　第１のユーザ機器について、本願発明１では、「ウェアラブルデバイスである」のに対し、引用発明では、当該発明特定事項が特定されていない点。
（相違点２）
　第２のタスクを実行するよう命令するために利用される第１の指示情報の送信について、本願発明１では、「ユーザによる前記第１のタスクの実行を求める要求が前記第２のユーザ機器でトリガされることで」行われるのに対し、引用発明では、「ＵＥから登録要求を受信することで」行われる点。
　上述のとおり、本願発明１と引用発明とは、上記相違点１及び２で相違するから、本願発明１は引用発明ではない。
　また、事案に鑑みて、上記相違点２について先に検討すると、本願発明１のように、第２のタスクを実行するよう命令するために利用される第１の指示情報の送信を「ユーザによる前記第１のタスクの実行を求める要求が前記第２のユーザ機器でトリガされることで」行うことは、引用例２ないし４に記載も示唆もされていない。また、本願発明１の「第１の指示情報」に相当する引用発明の「登録の承認」は、ＵＥから登録要求を受信することで送信されるものであって、ＵＥからの登録要求を前提とするものであるから、これを本願発明１のように「ユーザによる前記第１のタスクの実行を求める要求が前記第２のユーザ機器でトリガされることで」送信すること、すなわちＵＥからの登録要求なしに登録の承認を送信するような構成とすることは、技術常識にも反することであるので、当業者であっても、引用発明に基づいて、容易に発明をすることができたものとはいえない。
　したがって、上記相違点１を検討するまでもなく、本願発明１は、当業者であっても、引用発明及び引用例２ないし４のそれぞれに記載された技術的事項に基づいて、容易に発明をすることができたものとはいえない。
２．本願発明２ないし１０について
　本願発明２ないし１０は、本願発明１の発明特定事項を全て含むから、本願発明１と同じ理由により、引用発明ではなく、また、当業者であっても、引用発明及び引用例２ないし４のそれぞれに記載された技術的事項に基づいて、容易に発明をすることができたものとはいえない。
３．本願発明１１ないし１３について
　本願発明１１ないし１３は、本願発明１の上記相違点２の発明特定事項と対応する「前記第２のユーザ機器が前記第１のタスクを実行する前に、ユーザによる前記第１のタスクの実行を求める要求が前記第２のユーザ機器でトリガされることで前記第２のユーザ機器が第１の指示情報を送信する段階であって、前記第１の指示情報は、前記第１のユーザ機器が第２のタスクを実行するよう命令するために利用される、段階」という発明特定事項を備えるから、本願発明１と同様の理由により、引用発明ではなく、また、当業者であっても、引用発明及び引用例２ないし４のそれぞれに記載された技術的事項に基づいて、容易に発明をすることができたものとはいえない。
第７　原査定についての判断
　本願発明１ないし１３は、上記「第６」の「１．」ないし上記「第６」の「３．」のとおり、原査定において引用された引用例１に記載された発明ではなく、また、当業者であっても、原査定において引用された引用例１に記載された発明及び引用例２ないし４のそれぞれに記載された技術的事項に基づいて、容易に発明をすることができたものとはいえない。
　したがって、原査定の理由を維持することはできない。
第８　当審拒絶理由の判断
　令和３年２月２２日にされた手続補正により、
１．請求項１ないし６を削除したので、理由１の拒絶理由は解消された。
２．請求項５及び６を削除したので、理由２の（１）の拒絶理由は解消された。
３．補正前の請求項１９及び２０に対応する補正後の請求項１２及び１３は、各段階の動作の主体が第２のユーザ機器である補正後の請求項１１に記載の方法のみを引用することとなったため、理由２の（２）の拒絶理由は解消された。
第９　むすび
　以上のとおり、本願発明１ないし１３は、引用例１に記載された発明ではなく、また、当業者が引用例１に記載された発明及び引用例２ないし４のそれぞれに記載された技術的事項に基づいて容易に発明をすることができたものではない。
　したがって、原査定の理由によっては、本願を拒絶することはできない。
　また、他に本願を拒絶すべき理由を発見しない。
　よって、結論のとおり審決する。